(57)【要約】【課題】  封入された香りを保持しやすく、耐水性の良好な空間を備えるラベル伝票を提供する。【解決手段】  画像形成装置で印刷が可能な面を有する第１の基材と第２の基材とが重ね合わせられて構成され、配送物に貼付けられるラベル伝票であって、前記第１の基材には、当該第２の基材と剥離可能に対接し、伝票として前記配送物に貼付けが可能な第１の基材片が含まれ、前記第２の基材には、前記第１の基材片と前記配送物との間に折りたたまれた状態で封入が可能な第２の基材片が含まれたラベル伝票であって、前記第２の基材片は、前記第１の基材片と対接しない側の面同士が対接するように折られて、前記第１の基材片と前記配送物との間に封入された際に設けられる、当該第１の基材片と剥離可能に対接する側の面を内壁とした空間の壁の通気性を下げるコーティングが、当該第１の基材片と剥離可能に対接する側の面に施されていることを特徴とするラベル伝票。【選択図】  図２
2017024254.tif 000002
【特許請求の範囲】
【請求項１】
画像形成装置で印刷が可能な面を有する第１の基材と第２の基材とが重ね合わせられて構成され、配送物に貼付けられるラベル伝票であって、前記第１の基材には、当該第２の基材と剥離可能に対接し、伝票として前記配送物に貼付けが可能な第１の基材片が含まれ、前記第２の基材には、前記第１の基材片と前記配送物との間に折りたたまれた状態で封入が可能な第２の基材片が含まれたラベル伝票であって、
前記第２の基材片は、前記第１の基材片と対接しない側の面同士が対接するように折られて、前記第１の基材片と前記配送物との間に封入された際に設けられる、当該第１の基材片と剥離可能に対接する側の面を内壁とした空間の壁の通気性を下げるコーティングが、当該第１の基材片と剥離可能に対接する側の面に施されていることを特徴とするラベル伝票。
【請求項２】
前記第２の基材には、前記第２の基材片の外周縁と切取可能に連接し、当該第２の基材片が折られた際に粘着剤または圧着剤を介し、対接する対接面と固着されると、当該第２の基材片を内壁とした閉じられた空間が構成される第３の基材片が更に含まれていることを特徴とする請求項１に記載のラベル伝票。
【請求項３】
前記第２の基材片は、前記第１の基材と対接する側の面よりも、当該第１の基材と対接しない側の面の保香性が高いことを特徴とする請求項１または２に記載のラベル伝票。
【請求項４】
前記第２の基材片は、前記第１の基材と対接しない側の面にもさらに、前記コーティングが施されていることを特徴とする請求項１または２に記載のラベル伝票。
【発明の詳細な説明】
【技術分野】
【０００１】
本発明は、ラベル伝票に関する。
【背景技術】
【０００２】
従来、配送品を送付するための配送伝票の一つに、特許文献１のような、２枚のシートから構成され、送り状や納品書とが一体化した配送伝票が提案されている。そして特許文献１のような配送伝票は、納品書などを保護しながら配送が可能である。なぜならば、特許文献１のように設けることで、伝票の送り状の部分と配送箱との間に納品書を封入することができるからである。
また、特許文献１のような配送伝票は、送達後に送り状や納品書を切り取って、重ねて保管することが容易である。
【０００３】
しかし、特許文献１の伝票は、片面印刷を想定したものであり、印字領域（画像形成装置で印刷が可能な面）が一方のシート（上側基材）にしか設けられておらず、他方のシート（下側基材）を印字領域（例えば納品書や送り状）として活用できないという問題があった。そして、このような片面印刷の伝票では、印字領域をより広く取ろうとすると、必然的に他方のシートも大きくなる。つまり、印字領域を広く取った分だけ、印字領域として使えない部位（＝廃材となる部位）が増えてしまう。たとえば、特許文献１の伝票では、他方のシートの全てが「廃材となる部位」となるため、伝票として非常に無駄が出やすい。
【先行技術文献】
【特許文献】
【０００４】
【特許文献１】特開２０１１−１５６８３３号公報
【特許文献２】特開２００７−５７６号公報
【発明の概要】
【発明が解決しようとする課題】
【０００５】
そこで、片側印刷伝票と同じサイズの印刷用紙の印字領域を取っても、よりも廃材となる部位が少ない伝票、すなわち、一方の面と他方の面とに印字領域が取れる（両面印刷が可能である）配送伝票を提供すべく、本出願人は以下の伝票を考案した。すなわち、図１３に示すような、片側印刷伝票と同じサイズの印刷用紙の印字領域を取っても、よりも廃材となる部位が少ない伝票で、この伝票であれば両面印刷が可能となる。そして、この図１３の伝票は、同梱書類を同封でき、次のような手順で配送物に貼付けて発送できる。
【０００６】
まず、図１４に示すように、ピッキングリストを切取って、物品のピックアップ作業を行い、ピックアップした物品を配送物（配送箱）に入れ配送箱に封をする。
【０００７】
次に、図１５に示すように、納品書保持部をめくりあげて剥がす（図１５（ａ））。そして、折り目に従って、納品書を折り込む（図１５（ｂ））。この際、同梱物が他にあれば、折りたたまれる納品書の間に、一緒に挟み込む。次に、配送物に対接するよう伝票部（納品書保持部や納品書や同梱物も含め）を裏返し、同梱物や納品書が同梱されるよう配送品に貼る（図１５（ｃ）と（ｄ））。以上が出荷前に行う作業である。配送物はこの状態で受取人へ向けて発送される。
【０００８】
続いて図１６に示すように、配送された配送物に貼られた伝票部（図１６（ａ））から配送物の受取人によって送り状と受領書が切取られる（図１６（ｂ））。そして、受領書は受取りの印鑑やサインを施され、配送物の配送者へ受取り控えとして渡される。また、送り状は、入庫履歴管理のために受取人に保管される。
【０００９】
次に、図１７に示すように、納品書がミシン目に沿って切り離される（図１７（ａ）・図１７（ｂ））。この際、納品書とともに同梱された同梱物も併せて取り出される。
このように、図１３の伝票を用いれば、特許文献１よりもゴミの発生を抑えつつ様々な同梱物封入し、配送物を発送することができる。
【００１０】
ところで、メッセージカードなどを送る際の演出の一つに、メッセージカードに香りを添付して封筒などに封入して送る方法がある。そして、特許文献１や図１３のラベル伝票においても、納品書（明細書）や同梱物に香りをつけて伝票と配送物との間に封入すれば、香りつきのメッセージや納品書を配送物と共に送ることができる。
【００１１】
しかし、香りのついた同梱物を封入しても、伝票や配送物が通気性の高い基材（例えば、紙）では、香りが散逸してしまいやすい。また、通気性の高い基材では水も浸透しやすいため、基材が雨などで濡れた際に、水溶性の高い香り成分が基材に溶けだして散逸してしまう恐れがある。そして、封入された納品書やメッセージカード自体も濡れてしまうため好ましくない。
【００１２】
例えば、図１３の伝票を考えると、送り状や納品書が通気性の良い紙であった場合、断面図の図１８に示すように、明細書や同梱品につけられた香りは、送り状や受領書を透過して逃げやすく、水も浸透しやすい。
【００１３】
また、図１２に示すように、特許文献１に示すような伝票を考えると、配送荷物２７が通気性の良い素材であった場合、明細書１５や封入したメッセージカードにつけられた香りは、配送荷物２７を透過して逃げやすく、水も浸透しやすい。特に、配送荷物２７の中身が移り香を嫌うようなものであった場合、伝票に封入された香りが中身に移ると、配送荷物２７の中身の価値を大きく損なってしまう。
【００１４】
そこで、水分や香り成分を遮蔽する方法として、特許文献２のようにラミネートフイルムのような基材で両面を密封するような方法も考えられるが、このような構成を伝票に更に儲けようとすると、汎用性やコスト面に問題が出てくる。例えばこのような基材は、紙などに比べ基材自体の原料や製造単価も高いし、紙のように安価で容易に印刷できる汎用的なインクジェットプリンタやレーザプリンタのような機械も使えなくなるからである。
本発明は、封入された香りを保持しやすく、耐水性の良好な空間を備えるラベル伝票を提供する。
【課題を解決するための手段】
【００１５】
本発明は、画像形成装置で印刷が可能な面を有する第１の基材と第２の基材とが重ね合わせられて構成され、配送物に貼付けられるラベル伝票であって、前記第１の基材には、当該第２の基材と剥離可能に対接し、伝票として前記配送物に貼付けが可能な第１の基材片が含まれ、前記第２の基材には、前記第１の基材片と前記配送物との間に折りたたまれた状態で封入が可能な第２の基材片が含まれたラベル伝票であって、前記第２の基材片は、前記第１の基材片と対接しない側の面同士が対接するように折られて、前記第１の基材片と前記配送物との間に封入された際に設けられる、当該第１の基材片と剥離可能に対接する側の面を内壁とした空間の壁の通気性を下げるコーティングが、当該第１の基材片と剥離可能に対接する側の面に施されていることを特徴とする。
【発明の効果】
【００１６】
このように設けることで、封入された香りを保持しやすく、耐水性の良好な空間を備えるラベル伝票を提供することができる。
【図面の簡単な説明】
【００１７】
【図１】２枚のシート（基材）で構成される本願発明ラベル伝票の一例を示した構成図である。
【図２】本発明の第１の実施例の伝票を構成する２枚の基材のそれぞれの上面と下面の一例を示した構成図である。
【図３】ピッキングリスト１１が、ラベル伝票から分離された状態の一例を示した構成図である。
【図４】図３からラベル伝票が配送物に貼られるまでの過程の一例を示した構成図である。
【図５】図４（ｄ）の断面図の一例を示した構成図である。
【図６】図４（ｄ）から、送り状１７と受領書１８を切取る様子の一例を示した構成図である。
【図７】図６（ｂ）から納品書２１を切取る際の一例を示した構成図である。
【図８】本発明の第２の実施例の伝票を構成する２枚の基材のそれぞれの上面と下面の一例を示した構成図である。
【図９】第２の実施例において、香りのついた納品書２１や同梱物３０を圧着加工で封入する工程の一例を示した構成図である。
【図１０】第２の実施例の圧着加工後のラベル伝票を配送物４０に貼り付けるまでの流れの一例を示した構成図である。
【図１１】図１０（ｃ）の断面図の一例を示した構成図である。
【図１２】特許文献１に関する香りの封入の問題点について説明する構成図の一例である。
【図１３】両面印刷が可能で、特許文献１のラベル伝票よりもごみの少ないラベル伝票の一例を示した構成図である。
【図１４】図１３からピッキングリストが切り取られた状態の一例を示した構成図である。
【図１５】図１３のラベル伝票の伝票部１６を、配送物４０に貼り付けるまでの手順の一例を示した構成図である。
【図１６】図１５の配送物を受け取った受取人のラベル伝票の扱い方の一例を示した構成図である。
【図１７】図１６（ｂ）から納品書が切り取られる様子の一例を示した構成図である。
【図１８】図１５（ｄ）の状態の、Ｅ−Ｅ´断面の一例を示した構成図である。
【発明を実施するための形態】
【００１８】
図１は、２枚のシート（第１の基材１と第２の基材２）で構成される本願発明ラベル伝票の一例を示した構成図である。図１は、図１（ａ）乃至図１（ｃ）の総称で、本発明の伝票を構成する２枚の基材（シート）を重ね合わせる様子の一例を、側面図や斜視図で示した構成図である。２枚の基材は、対接する面の一部が接着されたり剥離可能に粘着されたりして対接している。そして、これらの図１（ａ）乃至図１（ｃ）における破線の矢印は、２枚の基材のそれぞれの角の重なり合う位置を示している。基材の各面の詳細については図２で述べる。
図１（ａ）は、本発明の伝票を構成する２枚の基材の一例を、側面図で示した構成図である。
第１の基材１の上面（Ａ−１面）は、第２の基材２と対接しない面で、印字領域となる面ある。
第１の基材１の下面（Ａ−２面）は、第２の基材２の上面（Ｂ−２面）と対接する面である。
第２の基材２の下面（Ｂ−１面）は、第１の基材１の下面（Ａ−２面）と対接する面である。
第２の基材２の上面（Ｂ−２面）は、第１の基材１と対接しない面で、印字領域となる面ある。
【００１９】
このように、本発明の伝票は印字領域が、Ａ−１面とＢ−２面に備えられており、これらの面は画像形成装置（例えば、レーザプリンタ、インクジェットプリンタ、ドットプリンタなど）で印刷をすることが可能である。
【００２０】
本発明の基材の材料は、紙への印刷が可能な画像形成装置（例えば、レーザプリンタ、インクジェットプリンタ、ドットプリンタなど）にて印刷が可能な材料が好適に用いられる。具体的には、例えば、一般用紙、上質紙、感圧紙（登録商標）や感熱紙等の機能性用紙、複写用紙、クラフト紙、グラシン紙、パーチメント紙、レーヨン紙、コート紙、合成紙、樹脂フィルムなどによりラミネートされた紙等の紙が好適に用いられる。ただし、画像形成装置で印刷が可能であれば、セロファン、延伸ポリプロピレン、ポリエチレンテレフタレート（ＰＥＴ）、発泡ＰＥＴ、延伸ポリスチレン、ポリ塩化ビニル等の樹脂フィルム等であってもよい。
図１（ｂ）は、伝票を構成する２枚の基材が重ね合わさる様子の一例を、Ａ−１面側から見た斜視図で示した構成図である。
図１（ｃ）は、本発明の伝票を構成する２枚の基材が重ね合わさる様子の一例を、Ｂ−２面側から見た斜視図で示した構成図である。
【００２１】
図２は、本発明の第１の実施例の伝票を構成する２枚の基材のそれぞれの上面と下面の一例を示した構成図である。以下、図７まで第１の実施例の伝票について述べてゆく。
＜第１の基材の基材片同士の連接について＞
まず、第１の基材１の構成について述べる。
【００２２】
第１の基材１は、以下の基材片が連接されて構成されている。具体的には、ピッキングリスト１１、コの字外周部１５、伝票部１６（第１の基材片）である。そして、これらの基材片は、スリット１００やミシン目２００を介して連接している。なお、スリット１００もミシン目２００も、連接する基材片同士を切取可能（分離可能）に連接するものである。
【００２３】
さらに、伝票部１６とは、具体的には、送り状１７、受領書１８、ロの字外周部１９とい３つの基材片が連接されて構成されたものである。また、伝票部１６は伝票として、配送物４０に貼り付けられ、配送物４０と共に送付される配送伝票の役割を持つ基材片である。具体的にどのようなプロセスで貼り付けられるのかについては、図３や４にて後述する。
【００２４】
ロの字外周部１９は、矩形で中空なロの字型の基材片である。ロの字外周部１９の外周縁のうちの３辺は、第１の基材１の外周縁である。そして、残りの１辺は、コの字外周部１５や矩形のピッキングリスト１１の外周縁の１辺とスリット１００（ミシン目２００でもよい）を介して連接されている。
【００２５】
ロの字外周部１９の内周縁（ロの字外周部１９の内側の縁）は、矩形の送り状１７と受領書１８のそれぞれ３辺と、ミシン目２００を介して連接されている。また、ロの字外周部１９の内周縁と連接していない送り状１７の一辺と受領書１８の一辺とは、ミシン目２００を介して連接されている。また、ロの字外周部１９とピッキングリストとの連接部に近い側の、送り状１７と受領書１８とを連接するミシン目と、ロの字外周部１９の内周縁との交点には、ツマミ部１２が設けられている。ツマミ部１２は、送り状１７や受領書１８を、ロの字外周部１９との連接部を切り離したり、対接面から剥離する際にその始点となる場所である。この位置にツマミ部１２を設ける理由は、納品書２１を折りたたんで封入した際に、折り目に近い位置にくるからで、送り状１７や受領書１８を剥がす際に、納品書の外周部を一緒に引っ張ってしまわずにすむ利点がある。つまり、納品書の外周部から離れた場所にツマミ部を設けることにより、図６の作業を容易にすることができるのである。
【００２６】
コの字外周部１５の外周縁三辺は、第１の基材１の外周縁である。そして、第１の基材１の外周縁は、ロの字外周部１９の外周縁三辺と、コの字外周部１５の外周縁三辺とで構成されている。
コの字外周部１５の内周縁三辺は、矩形のピッキングリスト１１の外周縁三辺とミシン目を介して連接されている。
＜第１の基材の基材片と第２の基材の基材片との対接について＞
【００２７】
コの字外周部１５は、納品書保持部２２および、封入耳２３（第３の基材片）と対接している。そして、コの字外周部１５のうち、納品書保持部２２と対接する領域は、接着剤によって対接面と剥離しないよう接着されている。また、コの字外周部１５のＡ−２面のうち、封入耳２３と対接する領域には粘着剤が塗布されていて、対接面と剥離が可能に固着されている。なお、剥離できるのは、対接する封入耳２３側の対接面に、剥離剤（例えば、シリコン等）が塗布されているためである。
【００２８】
ピッキングリスト１１は、納品書２１と対接している。そして、ピッキングリスト１１のＡ−２面には、粘着剤が塗布されており、対接面同士が剥離可能に固着されている。なお、剥離できるのは、対接する納品書２１側の対接面に、剥離剤が塗布されているためである。なお、ピッキングリスト１１に塗布される粘着剤は、着剥がしが容易な粘着剤が望ましい。具体的には、例えば付箋紙に用いられるような物体に貼りつけた際に再剥離できるタイプの粘着剤である。これは、ピッキングリスト１１を用いてピックアップ作業（ピッキングリストに記載された物品を、棚からピックアップして配送箱（配送物）に入れる）を行う際、棚の任意の側面にピッキングリストを剥がしやすい状態で貼り付けられると、便利だからである。
【００２９】
伝票部１６のうち、送り状１７と受領書１８は、納品書２１と剥離が可能に対接している。そして、送り状１７と受領書１８のＡ−２面には、着剥がしが容易な粘着剤が塗布されている。なお、対接面となる納品書２１のＢ−１面には剥離剤が塗布されている。
【００３０】
伝票部１６のうち、ロの字外周部１９は、納品書２１および納品書保持部２２と剥離可能に対接している。そして、ロの字外周部１９のＡ−２面には粘着剤が塗布されており、対接面が剥離できるように固着されている。なお、剥離できるのは、対接する納品書２１や納品書保持部２２側の対接面に、剥離剤が塗布されているためである。なお、ロの字外周部１９のＡ−２面に塗布される粘着剤は、送達先でロの字外周部を剥がす必要のある場合には着剥がしが容易な粘着剤を、剥がす必要のない場合であれば、着剥がしが難しいタイプの粘着剤を用いるなど、用途に応じ使い分けられるものとする。
＜第２の基材の基材片同士の連接について＞
【００３１】
第２の基材２は、納品書２１（第２の基材片）と、納品書保持部２２と、封入耳２３とがスリット１００やミシン目２００を介して切取可能に連接されて構成された基材である。
【００３２】
納品書２１は、伝票部１６に覆われて、配送物４０との間に封入される基材片である。納品書２１は、本実施例においては、「納品書」と呼ぶが、用途は納品書に限定されることなく、明細書や、明細書兼納品書、あるいはメッセージカードなどの様々な用途に用いることのできる基材片である。
【００３３】
さらに、納品書２１のＢ−２面は、香りを添付・保持する面にもなる。例えば、納品書をメッセージカードとして用いる場合、花の香りが添付されて用いたりする。香りの添付は、様々な方法が考えられる。例えば、基材にヒノキのような香りの強い原料を用いる方法、製紙の際に香料を添加する方法、製紙後に、納品書２１のＢ−２面に香料を吹き付ける方法、登録新案第３１５８６１１号のように、移り香をつける方法などである。
【００３４】
製紙後に香りを添加する方法の場合には、第２の基材（特に第２の基材片）に、第１の基材よりも保香性の高い基材が用いられることが好ましい。具体的には、例えば、和紙、画用紙、ムエット（ムイエット、匂い紙、試香紙、香料試験紙）、その他表面積の大きい紙などが好適に用いられる。
【００３５】
また、製紙後に香りを添加する方法の場合で、第２の基材が紙である場合、Ｂ−２面に紙の「裏面」がくることが望ましい。なぜならば、紙の裏面は紙の表面に比べ遷移の構成が粗いために表面積が大きく、その分香りを保香成が高いからである。つまり、第２の基材はＢ−１面よりＢ−２面に保香性が高い面が用いられるということである。反対に、Ｂ−１面には紙の「表面」が来ることが望ましい。なぜならば、裏面よりも表面積が小さい分、水が浸透しにくいからである。Ｂ−１面は、通気性を下げるためにコーティングする（例えばシリコンを塗布する）面であるので、「裏面」よりも水が浸透しにくい紙の「表面」がくることが好ましいのである。以上のように、納品書２１に香りを添付・保持して本件のラベル伝票を用いる場合には、Ｂ−１面が水の浸透しにくい紙の「表面」に、Ｂ−２面が保高性の高い紙の「裏面」になることが好ましい。
【００３６】
一方、納品書にはできるだけ香りをつけずに、図５のように香りのついた同梱品を折りたたまれる納品書２１の間に挟み込んで封入するような場合には、同梱物３０の香りを吸収しにくい紙の「表面」をＢ−２面にする方が好適である。つまり、第２の基材はＢ−２面よりＢ−１面に保香性が高い面が用いられるということである。さらに、同梱物３０が保持する香りを、一層、納品書２１移りにくくするために、同梱物３０と対接するＢ−２面にもコーティングを施こすことも、有益である。
納品書２１は矩形で、その外周縁は納品書保持部２２や封入耳２３と連接している。
【００３７】
納品書２１の外周縁のうち三辺は、コの字型の封入耳２３の内周縁とミシン目２００を介して切取可能に連接している。また、納品書２１の外周縁のうち封入耳２３の内周縁と連接していない一辺は、納品書保持部２２の内周縁とスリット１００を介して切取可能に連接している。また、納品書２１の外周縁のうち封入耳２３の内周縁と連接している対向する二辺とは、ミシン目２００を介して切取可能に連接している。
【００３８】
納品書保持部２２は矩形の外周縁を備え、その四辺が第２の基材２の外周縁である。また、納品書保持部２２の内周縁は、封入耳２３とスリット１００を介して切取可能に連接しており、納品書２１とはスリット１００およびミシン目２００を介して切取可能に連接している。
＜第２の基材の基材片と第１の基材の基材片との対接面について＞
【００３９】
納品書２１のＢ−１面は、ピッキングリスト１１、伝票部１６（送り状１７、受領書１８、ロの字外周部１９）のＡ−２面と対接している。そして、これらの対接面とは剥離が可能に対接するべく、剥離剤が塗布されている。剥離剤は、粘着剤と対接した際に剥離しやすくするだけではなく、納品書の通気性を下げる（香りを逃げにくく、水分を浸透しにくくする）ことに役立っている。具体的には、例えばシリコンなどが好適に用いられる。このように設けることで、伝票部１６を配送物４０に貼付けた際、納品書２１のＢ−２面が折りたたまれて内壁となって構成される閉じた空間は、剥離剤が塗布されていない場合と比べて香り（香り成分）を保持しやすく、耐水性の高い空間になる。
【００４０】
封入耳２３のＢ−１面は、ピッキングリスト１１とコの字外周部１５のＡ−２面とに剥離可能に対接している。そして、対接面には納品書２１と同様に剥離剤が塗布されている。
【００４１】
納品書保持部２２は、封入耳２３のＢ−１面と対接する面を除くコの字外周部１５のＡ−２面と、納品書２１と対接する面を除くロの字外周部１９のＡ−２面とに対接している。そして、コの字外周部１５のＡ−２面とは接着剤により剥離できないように接着されて対接しており、ロの字外周部１９のＡ−２面とは、剥離可能に固着されて対接している。なお、ロの字外周部１９のＡ−２面との対接面は、剥離剤が塗布されている。
【００４２】
図３は、ピッキングリスト１１が、ラベル伝票から分離された状態の一例を示した構成図である。そして、ピッキングリスト１１は、分離された（切り取って剥がされた）後、ピックアップ作業に用いられる。ピックアップ作業とは、棚からピッキングリストに記載された配送品をピックアップして、配送物（配送箱）に入れる作業である。ピックアップ作業を行う作業者は、作業を行う際、着け剥がしが容易な粘着剤の塗付されたピッキングリスト１１のＡ−２面を壁や棚の側面など必要に応じた任意の場所に貼り付けたり剥がしたりして作業を行うことができる。
図４は、図３からラベル伝票が配送物に貼られるまでの過程の一例を示した構成図である。図４は、図４（ａ）乃至（ｄ）の総称である。
図４（ａ）は、納品書保持部２２をめくりあげて剥がす様子の一例を示した構成図である。
【００４３】
図４（ｂ）は、納品書保持部２２を剥がした後、同梱物３０を重ねた納品書２１を、折り目３００を介して折り畳む様子を示した構成図である。この際、納品書２１が香りの添加されたものであってもよいし、同梱物３０が、香りの添加されたものであってもよい。
【００４４】
図４（ｃ）は、図４（ｂ）の作業が完了した状態の一例を示した構成図である。封入耳２３のＢ−２面が、粘着剤を塗布したロの字外周部１９のＡ−２面と対接することで、納品書２１のＢ−２面を内壁とした空間が設けられる。詳細は図５で述べる。
図４（ｄ）は、図４（ｃ）を裏返して配送物４０に貼り付けた状態の一例を示した構成図である。
図５は、図４（ｄ）の断面図の一例を示した構成図である。図５は、図５（ａ）および（ｂ）の総称である。
第１の粘着剤層１７０は、送り状１７のＡ−２面に塗布された粘着剤の層である。
第２の粘着剤層１８０は、受領書１８のＡ−２面に塗布された粘着剤の層である。
第３の粘着剤層１９０は、ロの字外周部１９のＡ−２面に塗布された粘着剤の層である。
剥離剤層２１０は、納品書２１のＡ−２面に塗布された剥離剤の層である。
第４の粘着剤層２３０は、封入耳２３のＡ−２面に塗布された粘着剤の層である。
図５（ａ）は、図４（ｄ）のＡ−Ａ´の断面の一例を示した構成図である。
図５（ｂ）は、図４（ｄ）のＢ−Ｂ´の断面の一例を示した構成図である。
【００４５】
納品書２１のＢ−１面にはシリコンが塗布されて剥離剤層２１０が形成されており、納品書２１の通気性を下げている。そしてこの構成があることで、香りの添付された同梱物３０や納品書２１のＢ−２面の香りは、送り状１７や受領書１８と配送物４０の方向の両方の方向に散逸しづらくなっている。
【００４６】
さらに、第４の粘着剤層２３０によって、基材の対接面と並行する方向にも散逸しづらくなっている。第４の粘着剤層２３０は、ラベル伝票内部に封入される香りの散逸を軽減するべく、香りの吸着性や透過性そして水分の透過性が低いものが好適に用いられる。具体的には、例えば、アクリル系ポリマーなどの高分子化合物を用いた粘着剤が好適に用いられる。
【００４７】
そして、第４の粘着剤層２３０と同じように、第１の粘着剤層１７０、第２の粘着剤層１８０、第３の粘着剤層１９０にも、香りの吸着性や透過性そして水分の透過性が低いものが好適に用いられる。
【００４８】
このように、納品書のＢ−１面に塗布された剥離剤の層が、納品書のＢ−２面を内壁とする空間の中に封入された香りの散逸や、空間内への水分の浸透を防ぐために大きな役割を果たしている。さらに、第４の粘着剤層２３０をはじめとする第１の粘着剤層１７０、第２の粘着剤層１８０、第３の粘着剤層１９０の粘着剤層にも香りの吸着性や透過性そして水分の透過性が低い粘着剤が用いられている。そしてこのことにより、納品書のＢ−２面を内壁とする空間の保香性や耐水性が更に高められている。
図６は、図４（ｄ）から、送り状１７と受領書１８を切取る様子の一例を示した構成図である。図６は、図６（ａ）および（ｂ）の総称である。
【００４９】
図６（ａ）は、送り状１７と受領書１８の分離前のラベル伝票の一例を示した構成図である。ツマミ部１２がつままれて、送り状１７や受領書１８が切り離される。
【００５０】
このように、送り状１７や受領書１８がミシン目２００に沿って切り離されると、伝票部１６と配送物４０との間に封入されている納品書２１を取出すための取出口となる部位である。
【００５１】
ここで、取出口部２０１について説明する。取出口部２０１は、送り状１７、受領書１８、ロの字外周部１９のいずれか２つを連接するミシン目２００のことであり、伝票部１６と配送物４０との間に封入されている納品書２１を取出すための取出口となる部位である。したがって、「取出口」は、納品書２１を取出すのに十分な口が設けられた状態であればよく、送り状１７や受領書１８が切り離されなくともよい。つまり、伝票部１６に設けられたミシン目２００の一部が切り離されているだけの状態であっても、納品書２１を取出すための取出口として十分なのである。したがって、例えば送り状１７、受領書１８、ロの字外周部１９が一体で、中央にティッシュケースの取出し口のような一文字のスリット１００を設けた場合であっても、そこから納品書２１が取り出せるのであれば、取出口部２０１に含まれる。
【００５２】
図６（ｂ）は、送り状１７と受領書１８の分離後（納品書２１の取出口が生成された状態）のラベル伝票の一例を示した構成図である。送り状１７は、切り取られた後、入庫履歴管理のために、配送物の受取人によって保管される。受領書１８は、配送物の配達人が、配送物を受取人に送達した証拠として保管する基材片である。具体的には、配送物の送達後、受取人に捺印やサインを施された受領書が、配達人に渡される。
図７は、図６（ｂ）から納品書２１を切取る際の一例を示した構成図である。図７は、図７（ａ）および（ｂ）の総称である。
【００５３】
納品書２１は、納品書２１に設けられた折り目３００側を起点として、納品書２１をつままれ（図７（ａ））、ミシン目に沿って切り離されて取出される（取出されたされたあとが図７（ｂ））。なお、図７（ｂ）の納品書２１の間には、図４で同梱された同梱物３０が挟まれている（不図示）。
以上が、第１の実施例の説明である。続いて第２の実施例について説明する。
図８は、本発明の第２の実施例の伝票を構成する２枚の基材のそれぞれの上面と下面の一例を示した構成図である。
【００５４】
図８は、本願発明の第２の実施例の一例を示した構成図である。第１の実施例と同様に、第１の基材と第２の基材の２つの基材のＡ−２面とＢ−１面とが重ね合わされて構成されている。
＜第１の基材の基材片同士の連接について＞
【００５５】
第１の基材は、シール台紙５０、伝票部１６（第１の基材片）で構成されていて、両者は第１の基材の平行する二辺の外周縁に直交するスリット１００を介して連接されている。
シール台紙５０は、第１の実施例で、ピッキングリスト１１、コの字外周部１５のある場所に配置されている。
【００５６】
伝票部１６（第１の基材片）は、送り状１７、受領書１８、変形ロの字外周部６０から成る。第１の実施例との違いは、送り状１７と受領書１８とが、第１の実施例のロの字外周部１９のピッキングリストとの連接部まで延長されている点である。そこで、ロの字外周部１９に相当する部位を、第２の実施例では変形ロの字外周部６０と呼ぶことにする。
＜第１の基材の基材片と第２の基材の基材片との対接について＞
【００５７】
シール台紙５０は、納品書２１および納品書保持部２２と対接している。そして、シール台紙５０の納品書２１との対接面は無塗装である。一方、納品書保持部２２との対接面は、剥離剤が塗布されて、剥離可能に接着されている。なお、納品書保持部２２のＢ−１面には、粘着剤が塗布されている。納品書保持部２２のＢ−１面に塗布される粘着剤は、用途によって再剥離の容易な粘着剤か再剥離の難しい粘着剤かを使い分けるものとする。
【００５８】
伝票部１６のうち、送り状１７と受領書１８は、納品書２１と剥離可能に対接している。そして、送り状１７と受領書１８のＡ−２面には、再剥離可能な粘着剤が塗布されている。なお、対接面となる納品書２１のＢ−１面には剥離剤が塗布されている。
【００５９】
伝票部１６のうち、変形ロの字外周部６０は、納品書保持部２２と対接している。そして、変形ロの字外周部６０のＡ−２面のうち納品書保持部２２と対接する面には、接着着剤が塗布され、対接面が剥離できないように接着されている。
＜第２の基材の基材片同士の連接について＞
【００６０】
第２の基材は、納品書２１（第２の基材片）と納品書保持部２２とがスリット１００やミシン目２００を介して切取可能に連接されて構成されている。第１の実施例と違い、封入耳２３は無い。納品書保持部２２の内周縁は矩形で、納品書２１の外周縁とミシン目で連接されている。
【００６１】
第２の基材は、半分に基材を半分に折りたたむための折り目３００が設けられている。そして、折り目３００は、第１の基材のスリット１００と重なる位置に設けられている。
＜第２の基材の基材片と第１の基材の基材片との対接面について＞
【００６２】
納品書２１のＢ−１面は、シール台紙５０、送り状１７、受領書１８のＡ−２面と対接している。そして、納品書２１のこれらＡ−２面との対接面には剥離剤が塗布されており、送り状１７、受領書１８の粘着剤が塗布された面と剥離が可能に対接している。第１の基材や第２の基材に用いられる剥離剤や粘着剤は、第１の実施例と同様に納品書２１の通気性を下げるもので、納品書２１や納品書に封入される同梱物３０に添付された香りの外部への散逸や、外部からの水分の透過を軽減する。
納品書保持部２２は、シール台紙５０や、変形ロの字外周部６０のＡ−２面と対接している。
【００６３】
納品書保持部２２のシール台紙５０との対接面には粘着剤が塗布されている。粘着剤は、目的に応じて、再剥離可能（着け剥がしが容易）なものであっても良いし、再剥離が難しい（着け剥がしが困難な）ものであってもよい。シール台紙５０側には剥離剤が塗布されており、納品書保持部２２とシール台紙５０とは、剥離可能に対接している。
納品書保持部２２の変形ロの字外周部６０との対接面は、剥離できないように接着剤で接着されて対接している。
＜第２の基材のＢ−２面について＞
【００６４】
納品書保持部２２のＢ−２面には、納品書２１のＢ−２面が内壁となって同梱物が封入できる空間を作るべく、圧着糊（感圧糊）が塗布されている。圧着糊とは、圧着加工（プレス）によって基材を固着させるために用いられる糊（粘着剤、接着剤）のことである。圧着の具体的な手順については、図９にて後述する。
【００６５】
図９は、第２の実施例において、香りのついた納品書２１や同梱物３０を圧着加工で封入する工程の一例を示した構成図である。図９は、図９（ａ）と（ｂ）の総称である。
【００６６】
図９（ａ）は、圧着加工前（プレス前）のラベル伝票の一例を示している。ここでは、図４（ｂ）のように、封入する同梱物３０を納品書２１のＢ−２面に置き、Ｂ−２面に香りのついた納品書２１を折り目３００に基づいて折り込む。
【００６７】
図９（ｂ）は、図９（ａ）にプレスをかけて圧着させる様子の一例を示した構成図である。図のようにプレス機でラベル伝票をプレスすると、対接する納品書保持部２２のＢ−２面同士が圧着糊により圧着される。
【００６８】
図１０は、第２の実施例の圧着加工後のラベル伝票を配送物４０に貼り付けるまでの流れの一例を示した構成図である。図１０は、図１０（ａ）乃至（ｃ）の総称である。
【００６９】
図１０（ａ）は、ラベル伝票からシール台紙５０を剥がす様子の一例を示した構成図であり、図１０（ｂ）は剥がし終えた後の様子の一例を示した構成図である。
【００７０】
図１０（ｃ）は、図１０（ｂ）のラベル伝票をひっくり返して配送物４０に貼り付けた際の様子の一例を示した構成図である。粘着剤が塗布された納品書保持部２２のＢ−２面が配送物４０に貼り付いているため、ラベル伝票と、配送物４０とが固着されている。
図１１は、図１０（ｃ）の断面図の一例を示した構成図である。図１１は、図１１（ａ）と（ｂ）の総称である。
図１１（ａ）は、１０（ｃ）のＣ−Ｃ´断面図の一例を示した構成図である。
【００７１】
納品書２１のＢ−１面に塗布された剥離剤が、納品書２１のＢ−２面を内壁とする空間内の香りの散逸と、空間内への水分の浸透を軽減している。また、圧着剤層２２１が納品書２１に水平な方向への香りの散逸と、空間内への水分の浸透を軽減している。圧着剤層２２１は、納品書保持部２２のＢ−２面に塗布された圧着剤（圧着糊）の層のことである。
以上が第２の実施例の説明である。
図１２は、特許文献１に関する香りの封入の問題点について説明する構成図の一例である。
【００７２】
図１２のラベル伝票には、本願発明の納品書２１に塗布された剥離剤のような、配送荷物への香りの散逸や、配送荷物からの水分の浸透を軽減する層が存在しない。そのため、同梱物を入れた場合に、封入された空間の外に香りが散逸しやすく、封入された空間の中に水分が浸透しやすいという問題がある。
図１３は、両面印刷が可能で、特許文献１のラベル伝票よりもごみの少ないラベル伝票の一例を示した構成図である。
【００７３】
図１３のラベル伝票は、送り状１７や受領書１８と納品書２１との対接面が無塗装である点が本願発明と異なる。また、封入耳２３がロの字外周部１９と対接する面に、剥離できないように接着されている点も本願発明と異なる。また、封入耳２３の内周縁は、納品書とミシン目２００を介して切取可能に連接されており、外周縁は納品書保持部２２の内周縁とスリット１００を介して切取可能に連接されている。
【００７４】
図１４は、図１３からピッキングリスト１１が切り取られた状態の一例を示した構成図である。切り取られたピッキングリスト１１の使い方は、本願発明と同様である。
【００７５】
図１５は、図１３のラベル伝票の伝票部１６を、配送物４０に貼り付けるまでの手順の一例を示した構成図である。まず、図１３から納品書保持部２２を剥がす（図１５（ａ））次に、封入耳２３を介して伝票部に固着されている納品書２１を、同梱物３０共に伝票に封入できるよう折りたたむ（図１５（ｂ））。次に、納品書・納品書に挟んだ同梱物が封入されるように伝票部を裏返して配送物に貼り付ける（図１５（ｃ）や（ｄ））。この状態で、配送物は出荷元から出荷先へ発送される。
図１６は、図１５の配送物を受け取った受取人のラベル伝票の扱い方の一例を示した構成図である。
図１６（ａ）は、送達された直後の配送物とラベル伝票である。
【００７６】
図１６（ｂ）に示すように、まず、受取人は、受領証を切り離す。そして受領証に受領印や受取りのサインをし、配送物の配送人に手渡す。また、送り状を切り取って、入庫履歴管理のために保管しておく。
【００７７】
図１７は、図１６（ｂ）から納品書２１が切り取られる様子の一例を示した構成図である。図１７（ａ）が切り取る途中で、図１７（ｂ）が切り取られた後の状態の一例を示している。納品書２１は一端をつまんで引っ張られ、ミシン目に沿って切り離される。この際、同梱されている同梱物３０も、併せて取り出される。
図１８は、図１５（ｄ）の状態の、断面の一例を示した構成図である。
図１８は、図１８（ａ）と図１８（ｂ）の総称である。
図１８（ａ）は、Ｅ−Ｅ´断面の一例を示した構成図である。
この図に示すように、図１３のラベル伝票の問題点は、保香性と耐水性である。
【００７８】
図１８の納品書２１を内壁とする空間は、配送物４０の方向（配送荷物）に対しては、納品書２１のＢ−１面に塗布された剥離剤層があるために、納品書の通気性を下げており、何も塗布されていない状態と比べて外部への香りの散逸と内部への水分の浸透がしにくくなっている。しかし、封入耳２３と連接する側の面には何も塗布されていない。そのため、本願発明と比べ、外部への香りが散逸しやすく、内部へ水分が浸透しやすい状態となっている。
図１８（ａ）は、Ｆ−Ｆ´断面の一例を示した構成図である。
【００７９】
図５とは反対の側に封入耳２３がついているため、納品書２１のＢ−２面の間に閉じ込められた香りは図５に比べ、図の太矢印に示されるように納品書の隙間から出てきて配送物４０を透過し、散逸しやすい状態になっている。
【符号の説明】
【００８０】
１        第１の基材
２        第２の基材
１１      ピッキングリスト
１２      ツマミ部
１５      コの字外周部
１６      伝票部（第１の基材片）
１７      送り状
１８      受領書
１９      ロの字外周部
２１      納品書（第２の基材片）
２２      納品書保持部
２３      封入耳（第３の基材片）
３０      同梱物
４０      配送物
５０      シール台紙
６０      変形ロの字外周部
１００    スリット
２００    ミシン目
２０１    取出口部
３００    折り目
１７０    第１の粘着剤層
１８０    第２の粘着剤層
１９０    第３の粘着剤層
２１０    剥離剤層
２３０    第４の粘着剤層
【図１】
2017024254.tif 000003
【図２】
2017024254.tif 000004
【図３】
2017024254.tif 000005
【図４】
2017024254.tif 000006
【図５】
2017024254.tif 000007
【図６】
2017024254.tif 000008
【図７】
2017024254.tif 000009
【図８】
2017024254.tif 000010
【図９】
2017024254.tif 000011
【図１０】
2017024254.tif 000012
【図１１】
2017024254.tif 000013
【図１２】
2017024254.tif 000014
【図１３】
2017024254.tif 000015
【図１４】
2017024254.tif 000016
【図１５】
2017024254.tif 000017
【図１６】
2017024254.tif 000018
【図１７】
2017024254.tif 000019
【図１８】
2017024254.tif 000020